(57)【特許請求の範囲】
【請求項１】
バーナに燃焼用空気を供給する燃焼ファンと、該燃焼ファンを駆動する電動モータと、該電動モータの巻線コイルの通電制御を行うことにより前記燃焼ファンの回転数を制御するモータ制御手段とを備える燃焼装置であって、
前記モータ制御手段は、前記燃焼ファンの回転数の検出値を目標回転数に収束させるように、該回転数の検出値と目標回転数との偏差に応じて前記巻線コイルの通電電流の目標値を決定すると共に、該通電電流の検出値を当該目標値に近づけるように該通電電流の検出値と当該目標値とに応じて前記巻線コイルへの印加電圧を操作することにより該巻線コイルの通電電流を当該目標値に制御するように構成されており、
前記燃焼ファンの運転中に、前記巻線コイルの通電電流の検出値と前記モータ制御手段による前記印加電圧の制御値とを逐次取得しつつ、該通電電流の検出値及び該印加電圧の制御値の両方の変化に基づいて、前記燃焼ファンの駆動系の異常が発生しているか否かを判断するファン駆動系異常判断手段を備え、
該ファン駆動系異常判断手段は、前記通電電流の検出値により示される該通電電流の大きさと前記印加電圧の制御値により規定される該印加電圧の大きさとのうちの一方の増加と他方の減少とが並行して発生したことを検知した場合に前記燃焼ファンの駆動系の異常が発生していると判断するように構成されていることを特徴とする燃焼装置。
【請求項２】
バーナに燃焼用空気を供給する燃焼ファンと、該燃焼ファンを駆動する電動モータと、該電動モータの巻線コイルの通電制御を行うことにより前記燃焼ファンの回転数を制御するモータ制御手段とを備える燃焼装置であって、
前記モータ制御手段は、前記巻線コイルへの印加電圧を操作することにより該巻線コイルの通電電流を制御するように構成されており、
前記燃焼ファンの運転中に、前記巻線コイルの通電電流の検出値と前記モータ制御手段による前記印加電圧の制御値とを逐次取得しつつ、該通電電流の検出値及び該印加電圧の制御値の両方の変化に基づいて、前記燃焼ファンの駆動系の異常が発生しているか否かを判断するファン駆動系異常判断手段と、
当該燃焼装置の新品状態において前記燃焼ファンが正常に動作する場合の前記巻線コイルの通電電流及び印加電圧のそれぞれの大きさである基準通電電流値及び基準印加電圧値のそれぞれと前記燃焼ファンの回転数との関係を表す基準データをあらかじめ記憶保持する記憶手段とを備え、
前記ファン駆動系異常判断手段は、前記燃焼ファンの運転中に、前記巻線コイルの通電電流の検出値と前記モータ制御手段による前記印加電圧の制御値と前記燃焼ファンの回転数の検出値とを逐次取得しつつ、前記燃焼ファンの回転数の検出値と前記基準データとから規定される前記基準通電電流値に対する前記通電電流の検出値の大きさの比率である相対通電電流と、前記燃焼ファンの回転数の検出値と前記基準データとから規定される前記基準印加電圧値に対する前記印加電圧の制御値の大きさの比率である相対印加電圧とを算出し、前記相対通電電流の算出値と前記相対印加電圧の算出値とのうちの一方の増加と他方の減少とが並行して発生したことを検知した場合に前記燃焼ファンの駆動系の異常が発生していると判断するように構成されていることを特徴とする燃焼装置。
【請求項３】
請求項２記載の燃焼装置において、
前記ファン駆動系異常判断手段は、前記燃焼ファンの運転中に、所定の制御処理周期毎に、現在時刻から第１の所定時間前までの期間における前記相対通電電流及び前記相対印加電圧のそれぞれの平均値である電流基準平均値及び電圧基準平均値を算出する処理と、現在時刻から前記第１の所定時間よりも短い第２の所定時間前までの期間における前記相対通電電流及び前記相対印加電圧のそれぞれの平均値である電流変化判断用電流平均値及び電圧変化判断用電圧平均値を算出する処理とを実行し、前記電流変化判断用電流平均値が前記電流基準平均値よりも第１所定量以上大きくなり、且つ、前記電圧変化判断用電圧平均値が前記電圧基準平均値よりも第２所定量以上小さくなるという条件と、前記電流変化判断用電流平均値が前記電流基準平均値よりも第３所定量以上小さくなり、且つ、前記電圧変化判断用電圧平均値が前記電圧基準平均値よりも第４所定量以上大きくなるという条件とのうちのいずれかの条件が成立した場合に、前記相対通電電流の算出値と前記相対印加電圧の算出値とのうちの一方の増加と他方の減少とが並行して発生したことを検知するように構成されていることを特徴とする燃焼装置。
【発明の詳細な説明】
【技術分野】
【０００１】
本発明は、バーナに燃焼用空気を供給する燃焼ファンを備える燃焼装置に関する。
【背景技術】
【０００２】
給湯装置等、バーナに燃焼用空気を供給する燃焼ファンを備える燃焼装置が従来より一般に知られている。
【０００３】
この種の燃焼装置では、バーナの燃焼量に適した量の燃焼用空気をバーナに供給するように、燃焼ファンの回転数が制御される。その回転数の制御は、燃焼ファンの駆動用の電動モータ（以降、ファンモータということがある）の通電電流を制御することで行われる。
【０００４】
また、この種の燃焼装置では、燃焼ファンの回転数が一定であっても、燃焼用空気の流通路（給気路もしくは排気路。以降、給排気路ということがある）の閉塞度合に応じて、バーナへの燃焼用空気の供給量が変化する。
【０００５】
このため、例えば特許文献１には、バーナの燃焼運転中に、給排気路の閉塞度合に応じて燃焼ファンの目標回転数を補正するために、ファンモータの通電電流の検出値の平均値の、給排気路が正常な場合における基準値からの変化度合に基づいて、給排気路の閉塞度合を認識する技術が記載されている。
【０００６】
また、例えば特許文献２には、バーナの燃焼運転の終了後に、所定の条件下で燃焼ファンを駆動し、ファンモータの通電電流の検出値の平均値を、給排気路が正常な場合に対応する許容範囲と比較することで、給排気路の劣化が進行した状態か否かを判定する技術が記載されている。
【先行技術文献】
【特許文献】
【０００７】
【特許文献１】特開平８−２４７４５２号公報
【特許文献２】特開平９−２６９１２３号公報
【発明の概要】
【発明が解決しようとする課題】
【０００８】
ところで、ファンモータの通電電流の平均値が、給排気路が正常な場合の電流値からずれるという現象は、給排気路の閉塞度合以外に、ファンモータ、あるいはその通電制御のための回路もしくはセンサ等、燃焼ファンの回転駆動のための要素の故障等に起因する燃焼ファンの動作異常が発生した場合にも生じる。
【０００９】
例えば、燃焼ファンの運転中に、ファンモータのいずれか１つの相のコイルの通電が遮断される故障が発生した場合には、燃焼ファンの目標回転数が一定であっても、駆動モータの通電電流が、燃焼ファンが正常に動作している状況での電流値よりも減少することが本願発明者の各種実験、検討により判明した。
【００１０】
また、燃焼ファンの運転中に、ファンモータに備えられるホール素子等の故障により、ファンモータのロータの回転位置を正常に認識できなくなった場合には、燃焼ファンの目標回転数が一定であっても、駆動モータの通電電流が、燃焼ファンが正常に動作している状況での電流値よりも増加する場合があることが本願発明者の各種実験、検討により判明した。
【００１１】
従って、特許文献１，２に見られる如き技術では、ファンモータの故障等に起因する燃焼ファンの動作異常が発生した場合に、給排気路の閉塞度合を誤認識してしまう虞がある。ひいては、バーナへの燃焼用空気の供給量が好適な供給量からずれてしまう虞がある。
【００１２】
本発明はかかる背景に鑑みてなされたものであり、燃焼ファンを駆動するための電動モータの故障等の該燃焼ファンの駆動系の異常が発生した場合に、その異常の発生を適切に検知することができる燃焼装置を提供することを目的とする。
【課題を解決するための手段】
【００１３】
本発明の燃焼装置は、かかる目的を達成するために、バーナに燃焼用空気を供給する燃焼ファンと、該燃焼ファンを駆動する電動モータと、該電動モータの巻線コイルの通電制御を行うことにより前記燃焼ファンの回転数を制御するモータ制御手段とを備える燃焼装置であって、前記モータ制御手段は、前記巻線コイルへの印加電圧を操作することにより該巻線コイルの通電電流を制御するように構成されており、前記燃焼ファンの運転中に、前記巻線コイルの通電電流の検出値と前記モータ制御手段による前記印加電圧の制御値とを逐次取得しつつ、該通電電流の検出値及び該印加電圧の制御値の両方の変化に基づいて、前記燃焼ファンの駆動系の異常が発生しているか否かを判断するファン駆動系異常判断手段を備え、該ファン駆動系異常判断手段は、前記通電電流の検出値により示される該通電電流の大きさと前記印加電圧の制御値により規定される該印加電圧の大きさとのうちの一方の増加と他方の減少とが並行して発生したことを検知した場合に前記燃焼ファンの駆動系の異常が発生していると判断するように構成されていることを基本構成とする。この場合、前記モータ制御手段は、例えば、前記燃焼ファンの回転数の検出値を目標回転数に収束させるように、該回転数の検出値と目標回転数との偏差に応じて前記巻線コイルの通電電流の目標値を決定すると共に、該通電電流の検出値を当該目標値に近づけるように該通電電流の検出値と当該目標値とに応じて前記巻線コイルへの印加電圧を操作することにより該巻線コイルの通電電流を当該目標値に制御するように構成されている（第１発明）。
【００１４】
なお、本発明において、燃焼ファンの駆動系というのは、燃焼ファンを回転駆動するための構成要素、具体的には、前記電動モータ、あるいは、該電動モータの通電制御のための要素（回路、センサ等）を意味する。
【００１５】
また、前記印加電圧の制御値は、モータ制御手段による制御によって規定される該印加電圧の値（目標値、あるいは、制御指令値に対応する該印加電圧の値等）を意味する。
【００１６】
ここで、前記燃焼ファンの回転数を制御するモータ制御手段が、前記巻線コイルへの印加電圧を操作することにより該巻線コイルの通電電流を制御するように構成されている場合、燃焼ファンの実際の回転数を上昇させようとする場合に、モータ制御手段は、前記電動モータの出力トルクを増加させるために、前記印加電圧の大きさを増加させることで、前記巻線コイルの通電電流の大きさを増加させる。
【００１７】
また、燃焼ファンの駆動系が正常に作動している状態では、燃焼ファンの実際の回転数を低下させようとする場合には、モータ制御手段は、前記電動モータの出力トルクを減少させるために、前記印加電圧の大きさを減少させることで、前記巻線コイルの通電電流の大きさを減少させる。
【００１８】
従って、燃焼ファンの駆動系が正常に作動している状態では、基本的には、前記印加電圧の大きさの増加と前記通電電流の大きさの増加とが並行して発生するか、あるいは、前記印加電圧の大きさの減少と前記通電電流の大きさの減少とが並行して発生する。
【００１９】
一方、燃焼ファンの駆動系の異常が発生したる場合には、一般に、モータ制御手段により制御される前記印加電圧の大きさの増加と並行して、前記通電電流の大きさが減少するという現象、あるいは、前記印加電圧の大きさの減少と並行して、前記通電電流の大きさが増加するという特徴的な現象が発生することが本願発明者の各種実験、検討により判明した。
【００２０】
そこで、前記基本構成を有する本発明では、前記ファン駆動系異常判断手段は、前記通電電流の検出値により示される該通電電流の大きさと前記印加電圧の制御値により規定される該印加電圧の大きさとのうちの一方の増加と他方の減少とが並行して発生したことを検知した場合に前記燃焼ファンの駆動系の異常が発生していると判断する。
【００２１】
これにより、第１発明によれば、燃焼ファンの駆動系の異常が発生した場合に、その異常の発生を適切に検知することができる。また、前記通電電流に基づいて給排気路の閉塞度合を検知する手段を備える燃焼装置にあっては、燃焼ファンの駆動系の異常が発生した場合に、その異常の発生によって給排気路の閉塞度合を誤認識してしまうことを防止できる。
【００２２】
前記基本構成を有する本発明では、当該燃焼装置の新品状態において前記燃焼ファンが正常に動作する場合の前記巻線コイルの通電電流及び印加電圧のそれぞれの大きさである基準通電電流値及び基準印加電圧値のそれぞれと前記燃焼ファンの回転数との関係を表す基準データをあらかじめ記憶保持する記憶手段をさらに備え、前記ファン駆動系異常判断手段は、前記燃焼ファンの運転中に、前記巻線コイルの通電電流の検出値と前記モータ制御手段による前記印加電圧の制御値と前記燃焼ファンの回転数の検出値とを逐次取得しつつ、前記燃焼ファンの回転数の検出値と前記基準データとから規定される前記基準通電電流値に対する前記通電電流の検出値の大きさの比率である相対通電電流と、前記燃焼ファンの回転数の検出値と前記基準データとから規定される前記基準印加電圧値に対する前記印加電圧の制御値の大きさの比率である相対印加電圧とを算出し、前記相対通電電流の算出値と前記相対印加電圧の算出値とのうちの一方の増加と他方の減少とが並行して発生したことを、前記通電電流の検出値により示される該通電電流の大きさと前記印加電圧の制御値により規定される該印加電圧の大きさとのうちの一方の増加と他方の減少とが並行して発生したこととして検知するように構成されていることが好ましい（第２発明）。
【００２３】
すなわち、燃焼ファンの運転中に前記相対通電電流及び相対印加電圧を逐次算出した場合、燃焼ファンの駆動系が正常に作動している場合には、該相対通電電流及び相対印加電圧は、燃焼ファンの回転数によらずに、ほぼ一定値に維持される。
【００２４】
そして、燃焼ファンの運転中に、該燃焼ファンの駆動系の異常が発生した場合には、該燃焼ファンの回転数によらずに、該相対通電電流及び相対印加電圧のうちの一方が、該一方に対応する当該一定値から増加することと、他方が、該他方に対応する当該一定値から減少することとが並行して行われることとなる。
【００２５】
従って、燃焼ファンの回転数に前記相対通電電流の算出値と前記相対印加電圧の算出値とのうちの一方の増加と他方の減少とが並行して発生したことを検知することで、燃焼ファンの駆動系の異常の発生によって、前記通電電流の検出値により示される該通電電流の大きさと前記印加電圧の制御値により規定される該印加電圧の大きさとのうちの一方の増加と他方の減少とが並行して発生したことを、燃焼ファンの回転数によらずに高い信頼性で検知できることとなる。
【００２６】
ひいては、燃焼ファンの駆動系の異常の発生を高い信頼性で検知することができる。
【００２７】
上記第２発明では、前記ファン駆動系異常判断手段は、前記燃焼ファンの運転中に、所定の制御処理周期毎に、現在時刻から第１の所定時間前までの期間における前記相対通電電流及び前記相対印加電圧のそれぞれの平均値である電流基準平均値及び電圧基準平均値を算出する処理と、現在時刻から前記第１の所定時間よりも短い第２の所定時間前までの期間における前記相対通電電流及び前記相対印加電圧のそれぞれの平均値である電流変化判断用電流平均値及び電圧変化判断用電圧平均値を算出する処理とを実行し、前記電流変化判断用電流平均値が前記電流基準平均値よりも第１所定量以上大きくなり、且つ、前記電圧変化判断用電圧平均値が前記電圧基準平均値よりも第２所定量以上小さくなるという条件と、前記電流変化判断用電流平均値が前記電流基準平均値よりも第３所定量以上小さくなり、且つ、前記電圧変化判断用電圧平均値が前記電圧基準平均値よりも第４所定量以上大きくなるという条件とのうちのいずれかの条件が成立した場合に、前記相対通電電流の算出値と前記相対印加電圧の算出値とのうちの一方の増加と他方の減少とが並行して発生したことを検知するように構成されていることが好ましい（第３発明）。
【００２８】
かかる第３発明において、前記電流基準平均値及び電圧基準平均値は、それぞれ、比較的長い時間の期間での（長期的なスパンでの）相対通電電流の平均値、相対印加電圧の平均値であるので、燃焼ファンの駆動系が正常に作動している状態では、定常的にほぼ一定値に維持される。
【００２９】
また、電流変化判断用電流平均値及び電圧変化判断用電圧平均値は、それぞれ、比較的短い時間の期間での（短期的なスパンでの）相対通電電流の平均値、相対印加電圧の平均値である。
【００３０】
これらの電流変化判断用電流平均値及び電圧変化判断用電圧平均値は、燃焼ファンの駆動系が正常に作動している状態では、それぞれ、前記電流基準平均値、電圧基準平均値にほぼ一致する一方、燃焼ファンの駆動系の異常が発生すると、電流基準平均値、電圧基準平均値に対して顕著な変化を呈するものとなる。
【００３１】
具体的には、電流変化判断用電流平均値が、電流基準平均値よりも小さい値に減少すると共に、電圧変化判断用電圧平均値が、電圧基準平均値よりも大きい値に増加するという現象が顕著に発生し、あるいは、電流変化判断用電流平均値が、電流基準平均値よりも大きい値に増加すると共に、電圧変化判断用電圧平均値が、電圧基準平均値よりも小さい値に減少するという現象が顕著に発生する。
【００３２】
従って、第３発明によれば、燃焼ファンの駆動系の異常の有無を、電流基準平均値に対する電流変化判断用電流平均値の変化と、電圧基準平均値に対する電圧変化判断用電圧平均値の変化とに基づいて、より一層高い信頼性で検知することができる。
【００３３】
なお、第３発明における前記第１所定量と第３所定量とは互いに同じ値であってもよく、また、第２所定量と第４所定量とは互いに同じ値であってもよい。
【図面の簡単な説明】
【００３４】
【図１】本発明の一実施形態の燃焼装置としての給湯器の構成を示す図。
【図２】図１の給湯器の燃焼ファンの駆動系の構成を示す図。
【図３】（ａ）は燃焼ファンの回転数と電動モータの通電電流との関係を例示するグラフ、（ｂ）は燃焼ファンの回転数と電動モータの印加電圧との関係を例示するグラフ。
【図４】（ａ），（ｂ）はそれぞれ、燃焼ファンの駆動系の異常が発生した場合の電動モータの通電電流の経時変化、印加電圧の経時変化を例示するグラフ。
【図５】図２に示すファン駆動系異常判断部の処理を示すフローチャート。
【発明を実施するための形態】
【００３５】
本発明の第１実施形態を図１〜図５を参照して以下に説明する。
【００３６】
図１を参照して、本実施形態の燃焼装置は給湯器１である。この給湯器１は、屋外に設置される本体ケース２を有する。本体ケース２には、燃焼空間を形成する燃焼筐３が収容されている。この燃焼筐３の内部の下部にバーナ４が配置されている。
【００３７】
バーナ４は、本実施形態ではガスバーナである。このバーナ４は、燃焼面積が互いに異なる第１バーナ４ａ及び第２バーナ４ｂにより構成されている。
【００３８】
バーナ４に燃料ガスを供給するための構成要素として、第１バーナ４ａ及び第２バーナ４ｂで共用される主ガス供給路５が本体ケース２に外部から導入されている。主ガス供給路５の上流側は、本体ケース２の外部で図示しないガス供給源の配管に接続される。
【００３９】
主ガス供給路５は、本体ケース２の内部において、第１バーナ４ａに燃料ガスを供給する第１副ガス供給路６ａと第２バーナ４ｂに燃料ガスを供給する第２副ガス供給路６ｂとに分岐され、燃焼筐３の内部に導入されている。
【００４０】
また、主ガス供給路５には、これを開閉する電磁弁により構成されたガス元弁７と、バーナ４への燃料ガスの供給量を調整するためのガス量調整弁としてのガス比例弁８とが介装されている。また、第１副ガス供給路６ａ及び第２副ガス供給路６ｂには、それぞれを開閉する電磁弁により構成された切替弁９ａ，９ｂが各々介装されている。
【００４１】
従って、本実施形態で、ガス元弁７を開弁した状態で、切替弁９ａ，９ｂのそれぞれの開閉状態の組み合わせを切替えることにより、燃料ガスの供給対象のバーナ（燃焼運転を行わせるバーナ）を、第１バーナ４ａ及び第２バーナ４ｂのいずれか一方又は両方に切替えることが可能となっている。
【００４２】
なお、バーナ４は、単一の燃焼面積のバーナであってもよい。その場合には、切替弁９ａ，９ｂは不要である。
【００４３】
バーナ４に燃焼用空気を供給するために、電動モータ７０（図２に示す）により回転駆動される燃焼ファン１０が燃焼筐３に取り付けられている。この燃焼ファン１０の吸込み口側は、本体ケース２の下部に開設された給気口（図示省略）に連通している。そして、燃焼ファン１０の送風口側は、図１に示す如く第１バーナ４ａ側の給気通路１１ａ及び第２バーナ４ｂ側の給気通路１１ｂを介して燃焼筐３の下部に連通している。
【００４４】
従って、燃焼ファン１０を電動モータ７０（以降、ファンモータ７０という）により回転駆動することで、該燃焼ファン１０により、燃焼用空気としての外気が吸引される。そして、燃焼ファン１０は、吸引した燃焼用空気を給気通路１１ａ，１１ｂを介して燃焼筐３内のバーナ４に供給する。このとき、ファンモータ７０の通電制御によって、燃焼ファン１０の回転数（回転速度）を制御することで、バーナ４への燃焼用空気の供給量が制御される。
【００４５】
ファンモータ７０は、本実施形態では、図２に示すように、Ｕ相、Ｖ相、Ｗ相の巻線コイル７１を有する３相のＤＣブラシレスモータにより構成されている。そして、各相の巻線コイル７１の通電電流を検出する電流センサ７２が各相の巻線コイル７１の通電経路に介装されている。
【００４６】
また、各相の巻線コイル７１が発生する磁束を検出するホール素子７３がファンモータ７０に付設されている。ホール素子７３は、ファンモータ７０のロータの回転位置（回転角度）と、ファンモータ７０のロータの回転速度（ひいては、燃焼ファン１０の回転数）とを検出するためのセンサである。
【００４７】
なお、図示例のファンモータ７０では、３相の巻線コイル７１は、Ｙ型結線で接続されているが、Δ型結線で接続されていてもよい。
【００４８】
また、図１に示すように、燃焼筐３の上部には、バーナ４の燃焼排ガスを外部に排出するための排気口３ａが開設されている。この排気口３ａは、本体ケース２の上部に開設された排気口（図示省略）に連通されている。
【００４９】
さらに、燃焼筐３の側壁部にはバーナ４に点火するための火花放電を発生する点火電極１３と、バーナ４の燃焼炎の有無を検知するための炎検知センサ１４とが取り付けられている。炎検知センサ１４は、フレームロッド、熱電対等により構成される。
【００５０】
給湯器１は、以上説明したバーナ４の燃焼系に関する構成の他、以下に説明する通水系に関する構成をさらに備える。
【００５１】
具体的には、燃焼筐３の内部には、バーナ４の燃焼熱により加熱される熱交換器３１がバーナ４の上方に配置されている。そして、この熱交換器３１を経由して通水路３２が配設されている。
【００５２】
通水路３２は、本体ケース２の内部に外部から導入された給水路３３と、本体ケース２の内部から導出された出湯路３４とを有し、給水路３３が熱交換器３１の通水路３１ａを介して出湯路３４に連接されている。
【００５３】
給水路３３の上流側は、本体ケース２の外部で図示しない給水源の配管に接続され、出湯路３４の下流側は、台所、洗面所、浴室等に配置される図示しないカラン等の給湯口に接続される。
【００５４】
熱交換器３１の通水路３１ａには、本体ケース２の内部において、バイパス路３５が並列に接続されている。該バイパス路３５は、熱交換器３１の上流側で給水路３３から分岐され、熱交換器３１の下流側で出湯路３４に合流されている。従って、給水路３３を上流側から流れてくる水の一部を、熱交換器３１を経由させずに、バイパス路３５を介して出湯路３４に流すことが可能となっている。
【００５５】
そして、バイパス路３５の上流端部（給水路３３からの分岐箇所）には、熱交換器３１の通水路３１ａの通水流量とバイパス路３５の通水流量との比率（以下、バイパス比という）を調整するためのバイパス比調整弁３６が介装されている。該バイパス比調整弁３６は、例えば電動式の三方弁により構成される。
【００５６】
なお、給水路３３からのバイパス路３５の分岐箇所に三方弁を備える代わりに、熱交換器３１の通水路３１ａとバイパス路３５との両方もしくは一方に、バイパス比調整弁としての流量調整弁を備えるようにしてもよい。
【００５７】
また、給水路３３には、該給水路３３の通水流量（以降、給水流量という）を調整するための電動式の水量サーボ弁３７と、給水流量を検出する水量センサ３８とが介装されている。また、出湯路３４には、バイパス路３５の合流部の下流側の箇所と該合流部の上流側の箇所とでそれぞれ湯水の温度を検出する温度センサ３９，４０が装着されている。
【００５８】
温度センサ３９が検出する温度は、換言すれば、出湯路３４の下流側の給湯口に供給される湯水の温度、すなわち給湯温度である。また、温度センサ４０が検出する温度は、換言すれば、熱交換器３１から出湯する湯水の温度である。
【００５９】
以上の如く構成された給湯器１は、さらに、その運転制御を担う制御装置５１を備える。制御装置５１は、図示しないＣＰＵ、ＲＡＭ、ＲＯＭ等を含む電子回路ユニットにより構成され、本体ケース２に搭載されている。そして、この制御装置５１に、前記炎検知センサ１４、電流センサ７２、ホール素子７３、水量センサ３８及び温度センサ３９，４０の検出信号が入力される。
【００６０】
ここで、制御装置５１による給湯器１の基本的な運転制御の概略を説明しておく。制御装置５１は、給水路３３の通水が開始されると、そのことを水量センサ３８の検出信号により検知する。この時、制御装置５１は、ファンモータ７０の通電制御によって燃焼ファン１０を回転駆動することで、バーナ４に燃焼用空気を供給させると共に、点火電極１３を図示しないイグナイタを介して駆動し、さらにガス元弁７及びガス比例弁８を制御してバーナ４に燃料ガスを供給することで、バーナ４に点火させる。
【００６１】
そして、制御装置５１は、バーナ４の着火を炎検知センサ１４の検出信号により検知すると、温度センサ３９による給湯温度の検出値を、図示しないリモコン等により設定された目標給湯温度に一致させるように、バーナ４の燃焼量と、水量サーボ弁３７及びバイパス比調整弁３６とを制御する。
【００６２】
この場合、バーナ４の燃焼量の制御においては、制御装置５１は、給湯温度の検出値を目標給湯温度に一致させるためのバーナ４の目標燃焼量と、これに対応する量の燃焼用空気をバーナ４に供給するための燃焼ファン１０の目標回転数とを算出し、ホール素子７３の検出信号に基づいて認識される燃焼ファン１０の回転数（以降、ファン回転数という）の検出値を目標回転数に一致させるように、ファンモータ７０の通電制御を行う。
【００６３】
また、制御装置５１は、目標燃焼量に応じて（又はファン回転数の検出値）に応じてガス比例弁８及び切替弁９ａ，９ｂを制御することで、バーナ４（第１バーナ４ａ及び第２バーナ４ｂの両方または一方）への燃料供給量を制御する。
【００６４】
これにより、バーナ４の燃焼量が制御され、ひいては、給湯温度の温調制御がなされる。
【００６５】
また、本実施形態では、制御装置５１は、バーナ４に供給する燃焼用空気の通路である給排気通路（前記した本体ケース２の給気口又は排気口に連通する通路）の閉塞度合いを、前記電流センサ７２の検出信号から認識されるファンモータ７０の通電電流（以降、ファン電流という）の大きさに基づいて検知し、それに応じて、燃焼ファン１０の目標回転数を調整する機能を有する。
【００６６】
この場合、給排気通路の閉塞度合いの検知及びそれに応じた目標回転数の補正の手法は、例えば、前記特許文献１に記載されたものと同じである。従って、本明細書での詳細な説明は省略する。
【００６７】
かかる運転制御を行う制御装置５１は、本実施形態では、燃焼ファン１０の駆動系（具体的には、ファンモータ７０とその通電制御のための要素（回路及びセンサ）により構成される系）の異常が発生した場合に、それを検知する機能を有する。
【００６８】
以下にその機能に関して説明する。制御装置５１は、実装されるプログラムにより実現される機能、又はハードウェア構成により実現される機能として、図２に示すように、図示しないＡＣ／ＤＣ変換器等により生成される直流電源電圧Ｖｓを３相の交流電圧に変換し、その交流電圧をファンモータ７０の各相の巻線コイル７１に印加するインバータ８０と、燃焼ファン１０の回転数の制御のためのファンモータ７０の通電制御をインバータ８０を介して行うモータ制御部８１と、燃焼ファン１０の駆動系の異常が発生しているか否かを判断するファン駆動系異常判断部８２と、該ファン駆動系異常判断部８２の処理で使用するデータをあらかじめ記憶保持した記憶部８３とを備える。
【００６９】
なお、モータ制御部８１、ファン駆動系異常判断部８２、記憶部８３は、それぞれ本発明におけるモータ制御手段、ファン駆動系異常判断手段、記憶手段に相当する。
【００７０】
インバータ８０は、公知の構造のものであり、ファンモータ７０の各相の巻線コイル７１に各々接続される３相分の（３つの）アーム部９１を備える。各アーム部９１は、トランジスタ等の半導体スイッチ素子により構成されるスイッチ部９２と、ダイオード９３とを並列に接続してなる並列回路を二つ備えており、これらの並列回路を直列に接続して構成されている。
【００７１】
なお、図示例のスイッチ部９２は、２つの半導体スイッチ素子（トランジスタ）により構成されているが、単一の半導体スイッチ素子により構成されていてもよい。
【００７２】
そして、こららの３相分のアーム部９１に並列に、直流電源電圧Ｖｓが印加されるようになっていると共に、各アーム部９１の２つの並列回路の中点が、該アーム部９１に対応する相の巻線コイル７１に接続されている。
【００７３】
モータ制御部８１は、ホール素子７３の検出信号から認識される燃焼ファン１０の実際の回転数の検出値を目標回転数に収束させるように、所謂、ＰＷＭ制御手法によりインバータ８０の各スイッチ部９２のオンオフ制御を行うことで、インバータ８０からファンモータ７０の各相の巻線コイル７１に印加される３相の交流電圧（以降、ファン電圧という）の大きさを調整する。
【００７４】
より詳しくは、モータ制御部８１は、燃焼ファン１０の目標回転数とホール素子７３の検出信号から認識される実際のファン回転数の検出値との偏差に応じて、該偏差を解消するトルクをファンモータ７０に発生させるために必要なファン電流の大きさ（例えば実効値）の目標値を決定する。
【００７５】
この場合、基本的には、ファン回転数の検出値が、目標回転数よりも小さい場合には、ファン電流の大きさを増加させ（ひいては、ファンモータ７０の出力トルクを増加させる）、また、ファン回転数の検出値が、目標回転数よりも大きい場合には、ファン電流の大きさを減少させる（ひいては、ファンモータ７０の出力トルクを減少させる）ように、該ファン電流の目標値が決定される。
【００７６】
そして、モータ制御部８１は、電流センサ７２の検出信号から認識されるファン電流の検出値を該ファン電流の目標値に近づけるように、ファン電圧を規定するＰＷＭ指令値を決定し、そのＰＷＭ指令値に従って、インバータ８０の各スイッチ部９２のオンオフ制御を行う。
【００７７】
この場合、ファン電流の大きさ（実効値）の検出値が目標値よりも小さい場合には、ファン電圧の大きさ（実効値）を増加させ、また、ファンモータ７０の通電電流の大きさ（実効値）が目標値よりも大きい場合には、ファン電圧の大きさ（実効値）を減少させるように、ＰＷＭ指令値が決定される。
【００７８】
なお、本実施形態では、ＰＷＭ指令値により規定されるファン電圧が本発明における印加電圧の制御値に相当する。
【００７９】
ファン駆動系異常判断部８２は、電流センサ７２の検出信号から認識されるファン電流の検出値と、ＰＷＭ指令値により規定されるファン電圧の制御値とを逐次取得し、これらのファン電流の検出値により示される該ファン電流の大きさとファン電圧の制御値により示される該ファン電圧の大きさとの両方の変化に基づいて、燃焼ファン１０の駆動系の異常が発生しているか否を判断する処理を後述する如く実行する。
【００８０】
記憶部８３は、ＥＥＰＲＯＭ等の不揮発性メモリにより構成される。この記憶部８３には、バーナ４の給排気通路の閉塞等が発生していない給湯器１の新品状態で、燃焼ファン１０が正常に作動する場合（燃焼ファン１０の駆動系が正常である場合）における燃焼ファン１０の動作特性を示す基準データがあらかじめ記憶保持されている。
【００８１】
詳しくは、ファン回転数と、ファン電流（実効値）との間の関係（以降、ファン回転数−ファン電流関係という）を示す基準データ（以降、ファン電流基準データということがある）、並びに、ファン回転数と、ファン電圧（実効値）との間の関係（以降、ファン回転数−ファン電圧関係という）を示す基準データ（以降、ファン電圧基準データということがある）が記憶部８３に記憶保持されている。
【００８２】
これらの基準データは、ファン回転数を任意の回転数で一定に維持した場合のファン電流の大きさとファン電圧の大きさとを示すデータである。そして、これらの基準データは、あらかじめ実験等に基づいて決定され、演算式又はマップの形態で記憶部８３に記憶保持されている。
【００８３】
図３（ａ）の実線ａ１のグラフは、ファン電流基準データにより示されるファン回転数−ファン電流関係の一例を示すグラフ、図３（ｂ）の実線ｂ１のグラフは、ファン電圧基準データにより示されるファン回転数−ファン電圧関係の一例を示すグラフである。
【００８４】
ここで、ファン駆動系異常判断部８２の処理を詳細に説明する前に、ファン回転数−ファン電流関係及びファン回転数−ファン電圧関係について補足しておく。
【００８５】
給湯器１の新品状態からの経年（累積稼働時間の増加）によって、バーナ４の給排気通路の閉塞度合が増加すること等に起因して、ファン回転数−ファン電流関係、あるいは、ファン回転数−ファン電圧関係は、燃焼ファン１０の駆動系が正常に作動する状態であっても、一般には新品状態での関係から変化する。
【００８６】
例えば、燃焼ファン１０の駆動系が正常に作動する状態でのファン回転数−ファン電流関係と、ファン回転数−ファン電圧関係とは、給湯器１の経年によって、それぞれ例えば、図３（ａ）の破線ａ２、図３（ｂ）の破線ｂ２のグラフで例示する如き関係に変化する。
【００８７】
さらに、燃焼ファン１０の任意のファン回転数（燃焼ファン１０の最大回転数以下の回転数）において、給湯器１の経年前の（新品状態での）ファン電流の値（実効値）に対する、経年後のファン電流の値（実効値）の比率に着目すると、該比率は、燃焼ファン１０の駆動系が正常に作動する状態では、燃焼ファン１０の回転数によらずにほぼ一定値となる。例えば、図３（ａ）に示す例では、当該比率は約０．９となる。
【００８８】
同様に、燃焼ファン１０の任意の回転数における経年前の（新品状態での）ファンモータ７０の印加電圧の値（実効値）に対する、経年後の印加電圧の値（実効値）の比率は、燃焼ファン１０の駆動系が正常に作動する状態では、燃焼ファン１０の回転数によらずにほぼ一定値となる。例えば、図３（ｂ）に示す例では、当該比率は約０．９となる。
【００８９】
以降の説明では、燃焼ファン１０の任意の回転数において、給湯器１の新品状態でのファン電流の大きさ（実効値）に対する、燃焼ファン１０の実際の運転中でのファン電流の大きさ（実効値）の比率を相対ファン電流、給湯器１の新品状態でのファン電圧の大きさ（実効値）に対する、燃焼ファン１０の実際の運転中でのファン電圧の大きさ（実効値）の比率を相対ファン電圧と称する。
【００９０】
なお、給湯器１の新品状態でのファン電流の大きさと、ファン電圧の大きさとは、それぞれ本発明における基準通電電流値、基準印加電圧値に相当する。また、上記相対ファン電流、相対ファン電圧は、それぞれ、本発明における相対通電電流、相対印加電圧に相当する。
【００９１】
燃焼ファン１０の駆動系が正常に作動している状態では、上記相対ファン電流及び相対ファン電圧は、短時間で変化することはない（一般に長期的なスパンでゆっくり変化する）。
【００９２】
しかるに、本願発明者の各種実験、検討によれば、燃焼ファン１０の駆動系の異常が発生したような場合には、相対ファン電流及び相対ファン電圧が短時間で特徴的な変化を呈する。
【００９３】
例えば、給湯器１の任意の経年状態（新品状態を含む）において、燃焼ファン１０を一定回転数で回転駆動している状況で、前記インバータ８０のいずれかのスイッチ部９２に制御信号を付与する信号線の断線等により、該スイッチ部９２のオンオフ制御を行うことができなくなる異常が発生すると、ファン電圧の大きさ（実効値）が素早く増加することと、ファン電流の大きさ（実効値）が素早く減少することとが並行して発生する。
【００９４】
一例として、図４（ａ），（ｂ）を参照して、燃焼ファン１０を一定回転数で回転駆動している状況で、時刻ｔxにおいて、上記異常が発生した場合、時刻ｔxの直後に、図４（ａ）のグラフで例示する如くファン電流の大きさが素早く減少することと、図４（ｂ）のグラフで例示する如くファン電圧の大きさが素早く増加することとが並行して発生する。
【００９５】
この理由は、次のように考えられる。すなわち、インバータ８０のいずれかのスイッチ部９２のオンオフ制御を行うことができなくなることで、３相のうちの一つの相の巻線コイル７１に所要のファン電圧を印加することができなくなる。その結果、当該一つの相の巻線コイル７１に所要のファン電流を通電することができなくなって、ファンモータ７０の出力トルクが不足して、実際のファン回転数が目標回転数から減少する。
【００９６】
そのため、モータ制御部８１は、実際のファン回転数を目標回転数に向かって増加させるために、ファン電圧の大きさを上昇させるように、ＰＷＭ指令値を生成するものの、上記一つの相の巻線コイル７１に電流を通電することができないために、ファン電流の大きさの平均値、ひいては、実効値は減少する。
【００９７】
その結果、ファン電流の大きさ（実効値）が素早く減少することと、ファン電圧の大きさ（実効値）が素早く増加することとが並行して発生する。ひいては、相対ファン電流が素早く減少することと、相対ファン電圧が素早く増加することとが並行して発生することとなる。
【００９８】
従って、例えば、ファン回転数−ファン電流関係と、ファン回転数−ファン電圧関係とが、それぞれ、図３（ａ）の破線ａ２のグラフで示す関係、図３（ｂ）の破線ｂ２のグラフで示す関係となっている状況で、上記異常が発生した場合には、燃焼ファン１０の任意の回転数での相対ファン電流と、相対ファン電圧とは、それぞれ、図３（ａ）の二点鎖線ａ３のグラフ、図３（ｂ）の二点鎖線ｂ３のグラフで示すものとなる。
【００９９】
また、燃焼ファン１０の駆動系の異常が発生した場合に、相対ファン電流が素早く増加することと、相対ファン電圧が素早く減少することとが並行して発生する場合もある。
【０１００】
例えば、給湯器１の任意の経年状態（新品状態を含む）において、燃焼ファン１０を一定回転数で回転駆動している状況で、いずれか一つのホール素子７３の出力端の短絡等に起因して、該ホール素子７３の検出信号をモータ制御部８１で取得することができなくなる異常が発生した場合に、上記の如く、相対ファン電流が素早く増加することと、相対ファン電圧が素早く減少することとが並行して発生する。
【０１０１】
この理由は、次のように考えられる。すなわち、いずれか一つのホール素子７３の検出信号を取得できなくなることで、モータ制御部８１は、ファンモータ７０のロータの回転位置を正確に認識できなくなる。
【０１０２】
このため、インバータ８０のスイッチ部９２のオンオフ制御のタイミングが最適なタイミングからずれることとなる。その結果、ファンモータ７０の駆動効率が低下する（ファン電流のうちのファンモータ７０の出力トルクの発生に寄与しない成分が増える）ことで、ファン電流の検出値により示される該ファン電流の大きさ（実効値）が目標値よりも増加する。
【０１０３】
そして、モータ制御部８１は、ファン電流の検出値により示される該ファン電流の大きさを目標値に向かって減少させるために、ファン電圧の大きさ（実効値）を減少させるようにＰＷＭ指令値を生成する。
【０１０４】
その結果、ファン電流の大きさ（実効値）が素早く増加することと、ファン電圧の大きさ（実効値）が素早く減少することとが並行して発生する。ひいては、相対ファン電流が素早く増加することと、相対ファン電圧が素早く減少することとが並行して発生することとなる。
【０１０５】
以上の如く、燃焼ファン１０の駆動系の異常が発生した場合には、ファン電流及びファン電圧の一方が素早く増加することと、他方が素早く減少することとが並行して発生する。
【０１０６】
以上説明した事項を踏まえて、ファン駆動系異常判断部８２の具体的な処理を以下に説明する。
【０１０７】
ファン駆動系異常判断部８２は、燃焼ファン１０の駆動系の異常が発生しているか否かを判断するために、図５のフローチャートに示す処理を実行する。
【０１０８】
ＳＴＥＰ１において、ファン駆動系異常判断部８２は、燃焼ファン１０の運転中であるか否かを判断し、その判断結果が肯定的になるまで待機する。
【０１０９】
ＳＴＥＰ１の判断結果が肯定的になった場合（燃焼ファン１０の運転中である場合）には、ファン駆動系異常判断部８２は、ＳＴＥＰ２において、相対ファン電流の長期的平均値Ｉａ及び短期的平均値Ｉｂと、相対ファン電圧の長期的平均値Ｖａ及び短期的平均値Ｖｂとを算出する処理を所定の制御処理周期（例えば１秒）で逐次実行する。
【０１１０】
なお、相対ファン電流の長期的平均値Ｉａ及び短期的平均値Ｉｂは、それぞれ、本発明における電流基準平均値、電流変化判断用電流平均値に相当し、相対ファン電圧の長期的平均値Ｖａ及び短期的平均値Ｖｂは、それぞれ、本発明における電圧基準平均値、電圧変化判断用電圧平均値に相当する。
【０１１１】
上記相対ファン電流の長期的平均値Ｉａ及び相対ファン電流の短期的平均値Ｉｂと、相対ファン電圧の長期的平均値Ｖａ及び短期的平均値Ｖｂとは、より詳しくは、次のように算出される。
【０１１２】
ファン駆動系異常判断部８２は、所定の制御処理周期毎に、ホール素子７３の検出信号に基づくファン回転数の現在の検出値と、前記記憶部８３に記憶保持されたファン電流基準データとから、ファン回転数の現在の検出値に対応して、ファン電流基準データにより規定されるファン電流の大きさ（以降、ファン電流基準値という）を求める。
【０１１３】
そして、このファン電流基準値と、電流センサ７２の検出信号に基づくファン電流の大きさ（実効値）とから、相対ファン電流の現在値を算出する。
【０１１４】
同様に、ファン駆動系異常判断部８２は、所定の制御処理周期毎に、ホール素子７３の検出信号に基づくファン回転数の現在の検出値と、前記記憶部８３に記憶保持されたファン電圧基準データとから、ファン回転数の現在の検出値に対応して、ファン電圧基準データにより規定されるファン電圧の大きさ（以降、ファン電圧基準値という）を求める。
【０１１５】
そして、このファン電圧基準値と、モータ制御部８１で決定されたファン電圧の制御値により示される該ファン電圧の大きさ（実効値）とから、相対ファン電圧の現在値を算出する。
【０１１６】
このように、ファン駆動系異常判断部８２は、所定の制御処理周期で逐次、相対ファン電流の値と相対ファン電圧の値とを算出する。
【０１１７】
そして、ファン駆動系異常判断部８２は、制御処理周期毎に、現在時刻から比較的長い第１の所定時間前までの期間における相対ファン電流の平均値を長期的平均値Ｉａとして算出する。同様に、ファン駆動系異常判断部８２は、制御処理周期毎に、現在時刻から上記第１の所定時間前までの期間における相対ファン電圧の平均値を長期的平均値Ｖａとして算出する。
【０１１８】
上記第１の所定時間はあらかじめ定められた時間であり、例えば１時間である。なお、上記第１の所定時間は、燃焼ファン１０の運転中の状態での時間であり、運転停止状態での時間は含まれない。
【０１１９】
さらに、ファン駆動系異常判断部８２は、制御処理周期毎に、現在時刻から、比較的短い第２の所定時間前までの期間における相対ファン電流の平均値を短期的平均値Ｉｂとして算出する。同様に、ファン駆動系異常判断部８２は、制御処理周期毎に、現在時刻から上記第２の所定時間前までの期間における相対ファン電圧の平均値を短期的平均値Ｖｂとして算出する。
【０１２０】
上記第２の所定時間は、第１の所定時間よりも十分に短い時間にあらかじめ定められており、例えば１分である。
【０１２１】
上記の如く算出される長期的平均値Ｉａ，Ｖａは、給湯器１の現状の経年状態（新品状態を含む）で、燃焼ファン１０の駆動系が正常に作動している場合に、長期的なスパンで推定してなる相対ファン電流の値と相対ファン電圧の値とにそれぞれ相当するものである。
【０１２２】
また、短期的平均値Ｉｂ，Ｖｂは、現在時刻近辺での相対ファン電流の推定値と相対ファン電圧の推定値とにそれぞれ相当するものである。
【０１２３】
ファン駆動系異常判断部８２は、次に、ＳＴＥＰ３において、相対ファン電流の長期的平均値Ｉａと短期的平均値Ｉｂとの差（＝Ｉａ−Ｉｂ）があらかじめ定めた所定の正の閾値Ｉth（例えば０．５）よりも大きく、且つ、相対ファン電圧の長期的平均値Ｖａと短期的平均値Ｖｂとの差（＝Ｖａ−Ｖｂ）があらかじめ定めた所定の負の閾値−Ｖth（例えば−０．５）よりも小さいという条件が成立するか否かを判断する。
【０１２４】
ここで、Ｉａ−Ｉｂ＞Ｉthということは、現在時刻近辺で、相対ファン電流が、給湯器１の現状の経年状態に対応する長期的平均値ＩａからＩthを減算した値よりも小さな値まで、素早く減少したことを意味する。同様に、Ｖａ−Ｖｂ＜−Ｖthということは、現在時刻近辺で、相対ファン電圧が、給湯器１の現状の経年状態に対応する長期的平均値ＶａにＶthを加算した値よりも大きい値まで、素早く増加したことを意味する。
【０１２５】
そして、燃焼ファン１０の駆動系が正常に作動している状態では、Ｉａ≒Ｉｂ、Ｖａ≒Ｖｂとなるので、ＳＴＥＰ３の判断結果は、否定的となる。
【０１２６】
一方、燃焼ファン１０の駆動系の異常が発生した場合に、前記したように、ファン電流の大きさ（実効値）が素早く減少することと、ファン電圧の大きさ（実効値）が素早く増加することとが並行して発生する場合がある。
【０１２７】
この場合には、ＳＴＥＰ３の判断結果が肯定的になる。そこで、ＳＴＥＰ３の判断結果が肯定的である場合には、ファン駆動系異常判断部８２は、ＳＴＥＰ４において、燃焼ファン１０の駆動系の異常が発生したと判断する。
【０１２８】
なお、このようにＳＴＥＰ４で、燃焼ファン１０の駆動系の異常が発生したと判断された場合には、制御装置５１は、バーナ４への燃料供給を遮断して、燃焼運転を停止させると共に、燃焼ファン１０の駆動系の異常が発生した旨の報知を図示しない表示器等により報知する。
【０１２９】
また、ＳＴＥＰ３の判断結果が否定的である場合には、ファン駆動系異常判断部８２は、次に、ＳＴＥＰ５において、相対ファン電流の長期的平均値Ｉａと短期的平均値Ｉｂとの差（＝Ｉａ−Ｉｂ）があらかじめ定めた所定の負の閾値−Ｉth（例えば、−０．５）よりも小さく、且つ、相対ファン電圧の長期的平均値Ｖａと短期的平均値Ｖｂとの差（＝Ｖａ−Ｖｂ）があらかじめ定めた所定の正の閾値Ｖth（例えば０．５）よりも大きいという条件が成立するか否かを判断する。
【０１３０】
ここで、Ｉａ−Ｉｂ＜−Ｉthということは、現在時刻近辺で、相対ファン電流が、給湯器１の現状の経年状態に対応する長期的平均値ＩａにＩthを加算してなる値よりも大きい値まで素早く増加したことを意味する。同様に、Ｖａ−Ｖｂ＞Ｖthということは、現在時刻近辺で、相対ファン電圧が、給湯器１の現状の経年状態に対応する長期的平均値ＶａからＶthを減算してなる値よりも小さい値まで、素早く減少したことを意味する。
【０１３１】
そして、燃焼ファン１０の駆動系が正常に作動している状態では、Ｉａ≒Ｉｂ、Ｖａ≒Ｖｂとなるので、ＳＴＥＰ３と同様に、ＳＴＥＰ５の判断結果も否定的となる。
【０１３２】
一方、燃焼ファン１０の駆動系の異常が発生した場合に、前記したように、ファン電流の大きさ（実効値）が素早く増加することと、ファン電圧の大きさ（実効値）が素早く減少することとが並行して発生する場合がある。
【０１３３】
この場合には、ＳＴＥＰ５の判断結果が肯定的になる。そこで、ＳＴＥＰ５の判断結果が肯定的である場合には、ファン駆動系異常判断部８２は、ＳＴＥＰ６において、燃焼ファン１０の駆動系の異常が発生したと判断する。
【０１３４】
なお、このようにＳＴＥＰ６で、燃焼ファン１０の駆動系の異常が発生したと判断された場合には、ＳＴＥＰ４の場合と同様に、制御装置５１は、バーナ４への燃料供給を遮断して、燃焼運転を停止させると共に、燃焼ファン１０の駆動系の異常が発生した旨の報知を図示しない表示器等により報知する。
【０１３５】
また、ＳＴＥＰ５の判断結果が否定的である場合には、燃焼ファン１０の駆動系が正常に作動している状態であるので、ファン駆動系異常判断部８２は、ＳＴＥＰ１からの処理を継続する。
【０１３６】
なお、本実施形態では、前記閾値Ｉth（＞０）が本発明における第１所定量及び第３所定量に相当し、前記閾値Ｖth（＞０）が本発明における第２所定量及び第４所定量に相当する。この場合、本実施形態では、第１所定量と第３所定量とは互いに同一であるが、互いに異なっていてもよい。同様に、本実施形態では、第２所定量と第４所定量とが互いに同一であるが、互いに異なっていてもよい。
【０１３７】
以上がファン駆動系異常判断部８２の処理の詳細である。
【０１３８】
以上説明した実施形態によれば、相対ファン電流の短期的平均値Ｉｂの長期的平均値Ｉａに対する変化と、相対ファン電圧の短期的平均値Ｖｂの長期的平均値Ｖａに対する変化とに基づいて、燃焼ファン１０の駆動系の異常が発生したか否かを検知することで、ファン回転数によらずに、当該異常の発生の検知を高い信頼性で行うことができる。
【０１３９】
そして、燃焼ファン１０の駆動系の異常が発生したか否かを高い信頼性で検知できることから、バーナ４の燃焼用空気の供給を正常に行うことができない状況で、バーナ４の燃焼運転が継続的に行われるのを防止することができる。
【０１４０】
なお、以上説明した実施形態では、相対ファン電流の短期的平均値Ｉｂの長期的平均値Ｉａに対する変化と、相対ファン電圧の短期的平均値Ｖｂの長期的平均値Ｖａに対する変化とに基づいて、燃焼ファン１０の駆動系の異常が発生したか否かを判断するようにした。ただし、例えば、相対ファン電流の瞬時値または短期的平均値Ｉｂの、直前の値（例えば１制御処理周期前の値）からの変化と、相対ファン電圧の瞬時値または短期的平均値Ｖｂの、直前の値（例えば１制御処理周期前の値）からの変化とに基づいて、燃焼ファン１０の駆動系の異常が発生したか否かを判断するようにしてもよい。
【０１４１】
さらに、例えば、燃焼ファン１０の運転中におけるファン電流の大きさの瞬時値が直前の値から所定量以上増加すると共にファン電圧の大きさの瞬時値が直前の値から所定量以上減少するという現象が発生した場合、あるいは、ファン電流の大きさの瞬時値が直前の値から所定量以上減少すると共にファン電圧の大きさの瞬時値が直前の値から所定量以上増加するという現象が発生した場合に、燃焼ファン１０の駆動系の異常が発生したことを検知するようにしてもよい。
【０１４２】
この場合、燃焼ファン１０の駆動系の異常の発生に応じたファン電流の大きさの変化度合いと、ファン電圧の大きさの変化度合いとは、一般に、ファン回転数に応じて変化する。従って、上記所定量は、ファン回転数の検出値に応じて設定することが望ましい。
【０１４３】
また、前記実施形態では、燃焼装置の一例として給湯器１を説明したが、本発明の燃焼装置は、給湯器以外の燃焼装置（燃焼式暖房装置など）であってもよい。
【符号の説明】
【０１４４】
１…給湯器（燃焼装置）、１０…燃焼ファン、７０…電動モータ、７１…巻線コイル、８１…モータ制御部（モータ制御手段）、８２…ファン駆動系異常判断部（ファン駆動系異常判断手段）、８３…記憶部（記憶手段）。
【図１】
0006429504.tif 000002
【図２】
0006429504.tif 000003
【図３】
0006429504.tif 000004
【図４】
0006429504.tif 000005
【図５】
0006429504.tif 000006